(57)【特許請求の範囲】
【請求項１】
底部に排水口を有する便器と、
吸引口を有する負圧タンクと、
前記排水口と前記吸引口とに接続され、前記排水口から前記吸引口に至る排水管路と、
前記負圧タンクに接続された真空ポンプと
を備え、
前記排水管路は、
前記排水口に接続された前記排水管路の一方の端部に設けられ、かつ、前記排水口から前記便器の予め定められた高さまで上方に延びた立ち上がり部と、
前記便器から前記負圧タンクに至る排水の流れ方向において、前記立ち上がり部よりも下流側に設けられた上り管部と、
前記上り管部の直ぐ上流側に配置され、管軸が水平に配置された管路からなり、前記上り管部における排水管路の容積よりも大きい容積を有する、受け部と
を有する、
負圧吸引式トイレ。
【請求項２】
前記受け部における排水管路の管軸に直交する断面積は、前記上り管部における排水管路の管軸に直交する断面積よりも広い、請求項１に記載された負圧吸引式トイレ。
【請求項３】
前記受け部における排水管路は、管軸に直交する断面が円形の円形管である、請求項１に記載された負圧吸引式トイレ。
【請求項４】
前記受け部は、管軸に直交する断面において、管路内面における高さ方向の中心よりも下方の面積が、上方よりも広い、異形管路である、請求項１に記載された負圧吸引式トイレ。
【請求項５】
前記受け部は、当該受け部における前記排水管路の側方に配置され、当該受け部における前記排水管路に対して水平方向に繋がった中間タンクを有する、請求項１から４までの何れか一項に記載された負圧吸引式トイレ。
【請求項６】
底部に排水口を有する便器と、
吸引口を有する負圧タンクと、
前記排水口と前記吸引口とに接続され、前記排水口から前記吸引口に至る排水管路と、
前記負圧タンクに接続された真空ポンプと
を備え、
前記排水管路は、
前記排水口に接続された前記排水管路の一方の端部に設けられ、かつ、前記排水口から前記便器の予め定められた高さまで上方に延びた立ち上がり部と、
前記便器から前記負圧タンクに至る排水の流れ方向において、前記立ち上がり部よりも下流側に設けられた上り管部と、
前記上り管部の直ぐ上流側に配置され、前記上り管部よりも大きい容積を有する受け部と
を有し、
前記受け部は、管軸が水平に配置された管路であり、管軸に直交する断面形状が前記受け部と前記上り管部とで同じであり、前記受け部が、前記上り管部よりも長い、負圧吸引式トイレ。
【請求項７】
底部に排水口を有する便器と、
吸引口を有する負圧タンクと、
前記排水口と前記吸引口とに接続され、前記排水口から前記吸引口に至る排水管路と、
前記負圧タンクに接続された真空ポンプと
を備え、
前記排水管路は、
前記排水口に接続された前記排水管路の一方の端部に設けられ、かつ、前記排水口から前記便器の予め定められた高さまで上方に延びた立ち上がり部と、
前記便器から前記負圧タンクに至る排水の流れ方向において、前記立ち上がり部よりも下流側に設けられた上り管部と、
前記上り管部の直ぐ上流側に配置され、前記上り管部よりも大きい容積を有する受け部と
を有し、
前記受け部は、管軸が水平に配置された管路であり、当該受け部における前記排水管路の側方において並行に配置され、かつ、当該受け部における前記排水管路に水平方向に繋がったバイパス管路を有する、負圧吸引式トイレ。
【請求項８】
底部に排水口を有する便器と、
吸引口を有する負圧タンクと、
前記排水口と前記吸引口とに接続され、前記排水口から前記吸引口に至る排水管路と、
前記負圧タンクに接続された真空ポンプと
を備え、
前記排水管路は、
前記排水口に接続された前記排水管路の一方の端部に設けられ、かつ、前記排水口から前記便器の予め定められた高さまで上方に延びた立ち上がり部と、
前記便器から前記負圧タンクに至る排水の流れ方向において、前記立ち上がり部よりも下流側に設けられた上り管部と、
前記上り管部の直ぐ上流側に配置され、前記上り管部よりも大きい容積を有する受け部と
を有し、
前記受け部における排水管路の管軸に直交する断面積は、前記上り管部における排水管路の管軸に直交する断面積よりも広い、負圧吸引式トイレ。
【請求項９】
前記排水管路は、前記上り管部を複数備え、前記上り管部に対してそれぞれ前記受け部が設けられている、請求項１から８までの何れか一項に記載された負圧吸引式トイレ。
【発明の詳細な説明】
【技術分野】
【０００１】
本発明は、負圧吸引式トイレに関する。
【背景技術】
【０００２】
例えば、特開２０１４−１２５７１９号公報には、負圧吸引式トイレが提案されている。同公報で提案される負圧吸引式トイレは、底部に排水口を有する有底の容器を便器本体とし、当該便器本体に排水管路が設けられている。排水管路は、便器本体に溜められる排水の高さが、予め定められた高さに規定されるように、当該高さに排水管路の底が設定された立ち上がり部が、排水口から連続して設けられている。かかる排水管路は、負圧タンクに接続されている。負圧タンクは、所要の耐圧性を有する容器であり、真空ポンプが取り付けられている。ここで提案された負圧吸引式トイレでは、負圧タンクを所定の真空を形成した状態で、負圧タンクと排水管路とを開通させることによって、排水管路を通じて、便器に溜まった排水を負圧タンクに引き込むことができる。負圧タンクは、汚水配管あるいは汚水タンクの上に配置されている。負圧タンクに引き込まれた排水は、汚水配管あるいは汚水タンクに排出される構造が取られている。
【先行技術文献】
【特許文献】
【０００３】
【特許文献１】特開２０１４−１２５７１９号公報
【発明の概要】
【発明が解決しようとする課題】
【０００４】
排水管路は、便器本体から負圧タンクに至る途中で上方に延びた上り管部が設けられる場合がある。このような上り管部では、排水の抵抗が大きくなるため、吸引時に排水が残留する場合がある。残留した排水は、逆流して、上り管部の下部およびその上流側に溜まる。この際、残留した排水が、排水管路を塞ぐように溜まると、次に、吸引するときに、負圧タンクの負圧は、排水管路を塞ぐように溜まった排水に作用し、便器に溜まった排水に作用しにくくなる。そして、排水管路を塞ぐように溜まった排水を引き込むのに、負圧のエネルギが消費されてしまう。
【課題を解決するための手段】
【０００５】
ここで提案される負圧吸引式トイレは、底部に排水口を有する便器と、吸引口を有する負圧タンクと、排水口と吸引口とに接続され、排水口から吸引口に至る排水管路と、負圧タンクに接続された真空ポンプとを備えている。排水管路は、排水口に接続された排水管路の一方の端部に設けられ、かつ、排水口から便器の予め定められた高さまで上方に延びた立ち上がり部と、便器から負圧タンクに至る排水の流れ方向において、立ち上がり部よりも下流側に設けられた上り管部と、上り管部の直ぐ上流側に配置され、上り管部よりも大きい容積を有する受け部とを有している。この場合、吸引時に上り管部に残留した排水は、吸引が終了した後で、上り管部を流下して受け部に流れ込む。この際、受け部が、上り管部よりも大きい容積を有しているので、上り管部を流下した排水によって受け部が満たされることはない。そして、負圧タンクの負圧は、便器に溜まった排水に作用しやすくなる。
【０００６】
受け部における排水管路の管軸に直交する断面積は、前記上り管部における排水管路の管軸に直交する断面積よりも広くてもよい。この場合、受け部における排水管路を短くできる。
【０００７】
受け部は、管軸が水平に配置された管路であってもよい。管軸が水平に配置されていることによって、上り管部から受け部に排水が流れ込んでも受け部が排水によって満たされにくい。また、受け部における排水管路は、管軸に直交する断面が円形の円形管であってもよい。円形管は管の断面が均一なので管の断面の上下を気にせずに設置できる。このため、施工性がよい。
【０００８】
受け部は、管軸に直交する断面において、管路内面における高さ方向の中心よりも下方の面積が、上方よりも広い、異形管路であってもよい。このような異形管路によれば、管路内面における高さ方向の中心よりも下方の面積が上方よりも広いので、上り管部から受け部に排水が流れ込んでも、受け部の上部に隙間が生じやすい。
【０００９】
管軸に直交する断面形状が受け部と上り管部とで同じ管路である場合には、受け部は、上り管部よりも長くてもよい。これによって、上り管部よりも大きい容積を有する受け部の構成を具現化してもよい。
【００１０】
受け部は、当該受け部における排水管路の側方において並行に配置され、かつ、当該受け部における排水管路に水平方向に繋がったバイパス管路を有していてもよい。このようなバイパス管路を有していることによって、受け部における排水管路を短くできる。
【００１１】
受け部は、当該受け部における排水管路の側方に配置され、当該受け部における排水管路に対して水平方向に繋がった中間タンクを有していてもよい。このような中間タンクを有していることによって、受け部における排水管路を短くできる。
【００１２】
排水管路は、上り管部を複数備えていてもよい。この場合、上り管部に対してそれぞれ受け部が設けられているとよい。
【図面の簡単な説明】
【００１３】
【図１】図１は、２階建ての住宅の２階の室内に負圧吸引式トイレの便器が配置された状態を模式的に示す斜視図である。
【図２】図２は、負圧吸引式トイレの排水管路の流路を模式的に示す側面図である。
【図３】図３は、バイパス管路を備えた受け部を模式的に示す平面図である。
【図４】図４は、中間タンクを備えた受け部を模式的に示す平面図である。
【発明を実施するための形態】
【００１４】
以下、本発明の一実施形態に係る負圧吸引式トイレを図面に基づいて説明する。なお、ここで説明する実施形態および実施例は、本願発明の好適な一形態を例示するものであるが、特段の言及がない限りにおいて、本願発明を限定しない。
【００１５】
図１は、２階建ての住宅の２階の室内に負圧吸引式トイレの便器が配置された状態を模式的に示す斜視図である。図２は、負圧吸引式トイレの排水管路の流路を模式的に示す側面図である。
【００１６】
負圧吸引式トイレの基本的な構成は、特許文献１にも説明されているので、ここでは重複する説明を省略する。図１および図２に示すように、負圧吸引式トイレ１０は、便器１１と、負圧タンク１２と、排水管路１３と、真空ポンプ１４とを備えている。
【００１７】
便器１１は、例えば、図１に示すように、屋内においてベッド２０のそばに置かれる。便器１１は、図２に示すように、底部に排水口１１ａを有している。この実施形態では、便器１１は、有底の容器からなる便器本体１１ｂを備えており、排水口１１ａは、便器本体１１ｂの底部に設けられている。便器本体１１ｂは、例えば、足や肘掛けや背もたれを備えた外枠１１ｃに収められているとよい。また、負圧吸引式トイレ１０は、便器本体１１ｂへ給水を行なうための給水タンク２１や給水ポンプ２２を備えているとよい。
【００１８】
負圧タンク１２は、吸引口１２ａを有する容器であり、所要の負圧に耐えうる耐圧性と排水を収容するため所要の耐食性を有しているとよい。負圧タンク１２は、真空ポンプ１４に接続されている。この実施形態では、負圧タンク１２と真空ポンプ１４は、屋外に置かれており、図１に示すように、カバー１６内に設置されている。
【００１９】
図２に示すように、便器１１の底部に設けられた排水口１１ａと、負圧タンク１２の吸引口１２ａとは、排水管路１３によって接続されている。この実施形態では、負圧タンク１２の吸引口１２ａに弁１２ｂが設けられている。また、負圧タンク１２には、負圧タンク１２を大気に開放するための大気開放弁１２ｃが設けられている。さらに、負圧タンク１２の底部には、弁１２ｄが設けられている。負圧タンク１２は、地下に埋設された下水設備４０（例えば、汚水枡や汚水管など）の上に据え置かれている。弁１２ｄが開かれると負圧タンク１２と下水設備４０とが繋がる。図２中の２点鎖線ＧＬは、地面を示している。２点鎖線ＷＬは建物の壁面を示している。２点鎖線ＦＬは、便器１１が置かれる床面を示している。真空ポンプ１４と負圧タンク１２の間にも弁１４ａが設けられている。また、図示は省略するが、真空ポンプ１４は、例えば、圧力計を備え、当該圧力計の計測値に基づいて予め定められた負圧を負圧タンク１２に形成するものであるとよい。
【００２０】
排水管路１３は、排水口１１ａと吸引口１２ａとに接続され、排水口１１ａから吸引口１２ａに至る流路を形成する配管である。排水管路１３は、排水口１１ａに接続された排水管路１３の一方の端部に設けられ、かつ、排水口１１ａから便器１１の予め定められた高さまで上方に延びた立ち上がり部１３ａを有している。負圧吸引式トイレ１０は、排水時に便器本体１１ｂに水が注ぎ込まれる。この実施形態では、給水ポンプ２２を作動させることによって、給水タンク２１から便器本体１１ｂに水が注がれる。この際、当該立ち上がり部１３ａによって規定される所定の高さまで、便器本体１１ｂに排水が溜められる。この状態で、真空ポンプ１４が作動する。
【００２１】
真空ポンプ１４が作動する際、負圧タンク１２の吸引口１２ａに設けられた弁１２ｂ、大気開放弁１２ｃおよび底部に設けられた弁１２ｄは、それぞれ閉じられている。真空ポンプ１４に設けられた弁１４ａは、真空ポンプ１４が負圧タンク１２内の空気を吸い、負圧を形成する際には開放されている。この状態で、負圧タンク１２は、真空ポンプ１４によって空気が吸い出されて予め定められた圧力（例えば、０．０８ＭＰａ）まで減圧される。弁１４ａは、真空ポンプ１４が負圧タンク１２内の空気を吸い、負圧を形成する際には開放されている。弁１４ａは、負圧タンク１２が予め定められた圧力まで減圧され、かつ、負圧タンク１２が排水を引き込む時には閉じられる。
【００２２】
予め定められた圧力まで減圧された負圧タンク１２の吸引口１２ａに設けられた弁１２ｂが開かれると、便器本体１１ｂに溜まった排水が排水管路１３を通じて負圧タンク１２に引き込まれる。この際、立ち上がり部１３ａを形成する屈曲した管路を通過する際に、排水中に含まれる便やトイレットペーパーなどの固形分が粉砕される。また、負圧タンク１２に排水が引き込まれる際には、真空ポンプ１４に設けられた弁１４ａが閉じられており、排水が跳ね返って真空ポンプ１４に入るのが防止される。負圧吸引式トイレ１０は、負圧タンク１２の底部の弁１２ｄが開らかれると、負圧タンク１２に溜まった排水が下水設備４０に流れ出る。また、負圧タンク１２の底部の弁１２ｄを開く際には、負圧タンク１２の大気開放弁１２ｃが開かれる。これによって、負圧タンク１２に溜まった排水が下水設備４０にスムーズに流れ出る。
【００２３】
負圧吸引式トイレ１０は、便器１１への給水ポンプ２２や負圧タンク１２の各弁１２ｂ〜１２ｄや真空ポンプ１４などの作動を、予め定められたプログラムに沿って制御する制御装置３０を備えているとよい。この場合、便器１１への給水ポンプ２２や負圧タンク１２の各弁１２ｂ〜１２ｄや真空ポンプ１４の作動を操作するための操作信号を制御装置３０に送る操作部３１が、便器１１に設けられているとよい。
【００２４】
ところで、本発明者は、負圧吸引式トイレ１０を住宅に仮設する場合において、便器本体１１ｂを屋内に配置し、負圧タンク１２や真空ポンプ１４を屋外に配置することを検討している。この場合、図２に示すように、排水管路１３は、屋内から壁面ＷＬを貫通させて屋外の負圧タンク１２まで敷設される。この際、壁面ＷＬの構造上の制約で、床面ＦＬよりも高い位置に排水管路１３を通すための貫通孔６０が設けられる場合がある。また、壁面ＷＬには、例えば、エアコンのような空調設備の配管を通すために貫通孔が設けられている場合がある。貫通孔６０には、このような既設の貫通孔を利用することも検討されている。空調設備の配管用の穴は、室内で床面ＦＬから２．５ｍ程度の高い位置に設けられていることがある。
【００２５】
負圧吸引式トイレ１０の排水管路１３には、便器本体１１ｂの排水口１１ａから連続して立ち上がり部１３ａが設けられている。排水管路１３は、立ち上がり部１３ａから降下させて床面ＦＬに沿って壁面ＷＬの壁際まで敷設される。室内で床面ＦＬから２．５ｍ程度の高い位置に設けられた貫通孔６０を通す場合には、排水管路１３は、室内で壁面ＷＬ（内壁）に沿って排水管路１３を立ち上げられて貫通孔６０に通される。排水管路１３は、室外で壁面ＷＬ（外壁）に沿って地面ＧＬの高さまで下ろされる。排水管路１３は、地面ＧＬに沿って敷設され、下水設備４０の上に配置された負圧タンク１２の吸引口１２ａに接続される。排水管路１３は、負圧タンク１２に接続される際にも、地面ＧＬから立ち上げられて接続される。
【００２６】
このように、排水管路１３の流れ方向において、立ち上がり部１３ａよりも下流側において、１または複数（図２の形態では２つ）の上り管部１３ｂ，１３ｃが設けられる場合がある。つまり、図２に示す形態では、室内で壁面ＷＬに沿って立ち上げられた部分に上り管部１３ｂが設けられている。また、地面ＧＬに沿って排水管路１３が敷設されたところから立ち上げられて負圧タンク１２に接続される部分に上り管部１３ｃが設けられている。なお、負圧タンク１２に接続される部分の上り管部１３ｃは、図１においては、カバー１６に隠れており、全体が図示されていない。負圧タンク１２に接続される部分の上り管部１３ｃは、図２に示すように、地面ＧＬからカバー１６内に配置された負圧タンク１２の吸引口１２ａまで、繋がるように立ち上がっている。かかる上り管部１３ｃは、０．５ｍから２ｍ程度立ち上がっていることもあり得る。
【００２７】
負圧吸引式トイレ１０では、負圧タンク１２の負圧が排水管路１３に作用することによって、便器１１に溜まった排水が負圧タンク１２に吸引される。便器１１に溜まった排水が吸引される際、上り管部１３ｂ，１３ｃでは、排水を引き上げるのにエネルギが消費される。負圧タンク１２による吸引は、徐々に弱くなり、負圧タンク１２が大気圧に戻る過程で終了する。このため、吸引が終了したときに上り管部１３ｂ，１３ｃでは排水の一部が残留している場合がある。
【００２８】
吸引が終了した後で排水管路１３は大気圧になるため、上り管部１３ｂ，１３ｃに残留している排水は、自然に流下して上り管部１３ｂ，１３ｃの上流側の排水管路１３に流れ込む。この際、上り管部１３ｂ，１３ｃの上流側に流れ込んだ排水によって、排水管路１３の一部が満たされることが生じうる。特に、図２に示すように、屋内の壁面ＷＬに沿った上り管部１３ｂのように２ｍ程度も高い位置まで立ち上がっているような場合には、吸引が終了した時に、上り管部１３ｂに多量の排水が残留することがある。また、負圧タンク１２に接続される部分の上り管部１３ｃは、便器１１から遠く、負圧タンク１２に吸引される排水が最後に通る部分である。負圧タンク１２の吸引力は、吸引が開始されてから徐々に弱まる。その上、上り管部１３ｃでは、排水を引き上げるのにエネルギが必要になるために、負圧タンク１２に吸引される排水が残留することがある。
【００２９】
上り管部１３ｂ，１３ｃに多量の排水が残留した場合には、上り管部１３ｂ，１３ｃの上流側の管路に多量の排水が流れ込むことがある。この場合、上り管部１３ｂ，１３ｃの上流側の管路構成によっては、上り管部１３ｂ，１３ｃの上流側の管路の一部が上り管部１３ｂ，１３ｃから流れ込んだ排水によって満たされてしまう。つまり、立ち上がり部１３ａよりも負圧タンク１２側において、排水管路１３の一部が排水で満たされた満管状態になる。
【００３０】
立ち上がり部１３ａよりも下流側において、排水管路１３の一部が排水で満たされている場合には、排水を吸引する際に、負圧タンク１２からの負圧が便器１１に溜まった排水に作用しにくくなる。つまり、便器１１に排水の吸引が行なわれる際に、排水管路１３の一部が排水で満たされていると、排水管路１３の一部を満たす排水に、まず負圧が作用してこれを吸引する。その後、便器１１に溜まった排水に負圧が作用する。このとき、負圧タンク１２の負圧が弱まっている。このため、便器１１に溜まった排水に十分な吸引力が作用せず、便器１１に排水が残留することが起こりうる。この場合、便器１１に再び給水し、真空ポンプ１４を作動させて負圧タンク１２に負圧を形成し、便器１１に残留した排水を吸引する一連の工程をやり直す必要が生じる。本発明者は、立ち上がり部１３ａから下流側においてある程度の高さまで立ち上がった上り管部１３ｂ，１３ｃがあるような場合において、負圧吸引式トイレ１０におけるこのような問題が生じることを見出した。
【００３１】
本発明者は、負圧吸引式トイレ１０において、立ち上がり部１３ａよりも下流側では、上り管部１３ｂ，１３ｃの直ぐ上流側に、上り管部１３ｂ，１３ｃよりも大きい容積を有する受け部１３ｂ１，１３ｃ１を設けることを提案する。つまり、ここで提案される負圧吸引式トイレ１０では、図２に示すように、上り管部１３ｂ，１３ｃの直ぐ上流側において、排水管路１３に受け部１３ｂ１，１３ｃ１が設けられている。受け部１３ｂ１，１３ｃ１は、上り管部１３ｂ，１３ｃよりも大きい容積を有している。かかる構成によれば、吸引が終了したときに上り管部１３ｂ，１３ｃでは吸引時に排水が残留した場合には、吸引が終了した後で、上り管部１３ｂ，１３ｃに残留している排水が、自然に流下して上り管部１３ｂ，１３ｃの上流側に流れ込む。この場合、上り管部１３ｂ，１３ｃの直ぐ上流側に受け部１３ｂ１，１３ｃ１が設けられており、受け部１３ｂ１，１３ｃ１は、上り管部１３ｂ，１３ｃよりも大きい容積を有する。
【００３２】
このため、上り管部１３ｂ，１３ｃに残留している排水が、受け部１３ｂ１，１３ｃ１に流れ込んでも、受け部１３ｂ１，１３ｃ１は排水によって満たされない。この場合、受け部１３ｂ１，１３ｃ１の上部まで、排水が溜まらないので、受け部１３ｂ１，１３ｃ１の上部に空隙が生じる。負圧タンク１２からの負圧は、受け部１３ｂ１，１３ｃ１に生じた空隙を抜けて、便器１１から立ち上がり部１３ａに溜まった排水に作用しうる。このため、便器１１の排水がよりスムーズに吸引される。そして、吸引後に便器１１に排水が残留しにくい。特に、吸引初期に排水が通過する立ち上がり部１３ａにおいて所要の流速が確保される。このため、上り管部１３ｂ，１３ｃがある場合でも、立ち上がり部１３ａにおいて便やトイレットペーパーなどの固形分が適切に破砕される機能が維持されるから、便やトイレットペーパーなどが詰まりにくい。
【００３３】
受け部１３ｂ１，１３ｃ１には、種々の形態を採用することができる。
【００３４】
例えば、上り管部１３ｂ，１３ｃと受け部１３ｂ１，１３ｃ１とにおける排水管路１３は、管軸に直交する断面積の変化が１００％以下であるとよい。つまり、便器１１から負圧タンク１２に至る主たる管路において、上り管部１３ｂ，１３ｃと受け部１３ｂ１，１３ｃ１とは、断面積の変化が１００％以下（２倍以下）、例えば、８０％以下（１．８倍以下）、さらには６０％（１．６倍以下）以下であるとよい。ここで、「受け部における排水管路」には、後述するように、受け部における排水管路に並行な管路や、中間タンクなどは含まれない。また、「管軸」は、流れ方向に直交する管路の断面における管路の内面の中心を流れ方向に繋いだ線である。例えば、管路の流れ方向に直交する断面が円形である円形管では、管軸は、管路断面の中心を繋いだ線になる。異形断面の管路においても、管路の流れ方向に直交する断面における管路の内面の中心を流れ方向に繋いだ線を「管軸」とする。上り管部１３ｂ，１３ｃと受け部１３ｂ１，１３ｃ１とで断面積の変化が１００％以下である方が、負圧の作用による吸引がスムーズに行える。
【００３５】
また、受け部１３ｂ１，１３ｃ１における排水管路の断面積は、上り管部１３ｂ，１３ｃにおける排水管路の断面積よりも広いことが望ましい。例えば、上り管部１３ｂ，１３ｃにおける排水管路に内径２０ｍｍの円形断面の塩ビ管を採用し、受け部１３ｂ１，１３ｃ１における排水管路に内径２５ｍｍの円形断面の塩ビ管を採用してもよい。この場合、受け部１３ｂ１，１３ｃ１の断面積は、上り管部１３ｂ，１３ｃよりも５６％程度大きくなる。この場合、受け部１３ｂ１，１３ｃ１は、上り管部１３ｂ，１３ｃよりも短くても広い容積が確保される。この場合、上り管部１３ｂと同じ内径の塩ビ管を、受け部１３ｂ１に採用する場合に比べて、便器１１から上り管部１３ｂを立ち上げるまでの距離を短くできる。
【００３６】
また、受け部１３ｂ１，１３ｃ１は、管軸が水平になるように配置されてもよい。受け部１３ｂ１，１３ｃ１の管軸が水平であれば、上り管部１３ｂ，１３ｃから排水が流れ込んでも、受け部１３ｂ１，１３ｃ１が排水によって満たされにくい。また、受け部１３ｂ１，１３ｃ１における排水管路は、管軸に直交する断面が円形の円形管であってもよい。円形管は管の断面が均一なので管の断面の上下を気にせずに設置できる。このため、施工性がよい。
【００３７】
また、受け部１３ｂ１，１３ｃ１は、管軸に直交する断面において、管路内面における高さ方向の中心よりも下方の面積が、上方よりも広い、異形管路でもよい。このような異形管路は、管路内面における高さ方向の中心よりも下方の面積が上方よりも広い。このため、上り管部１３ｂ，１３ｃから受け部１３ｂ１，１３ｃ１に排水が流れ込んでも、受け部１３ｂ１，１３ｃ１の上部に隙間が生じやすい。
【００３８】
また、管軸に直交する断面形状が、受け部１３ｂ１，１３ｃ１と上り管部１３ｂ，１３ｃとで同じである場合には、受け部１３ｂ１，１３ｃ１が上り管部１３ｂ，１３ｃよりも長いとよい。つまり、受け部１３ｂ１の長さをＡ、上り管部１３ｂの長さをａとした場合には、Ａ＞ａであるとよい。受け部１３ｃ１の長さをＢ、上り管部１３ｃの長さをｂとした場合には、Ｂ＞ｂであるとよい。これによって、上り管部１３ｂ，１３ｃよりも大きい容積を有する受け部１３ｂ１，１３ｃ１との構成を具現化してもよい。
【００３９】
図３は、バイパス管路１８を備えた受け部１３ｂ１を模式的に示す平面図である。排水管路１３に沿った矢印Ａ１は、排水管路１３の負圧タンク１２側であり、当該受け部１３ｂ１に対して上り管部１３ｂが設けられる方向である。矢印Ｂ１は、便器１１側であり、排水が流れる方向において上流側に当たる。矢印Ａ１，Ｂ１は、図４において同意である。
【００４０】
図３に示す形態では、受け部１３ｂ１は、受け部１３ｂ１における排水管路１３の側方において並行に配置され、かつ、受け部１３ｂ１における排水管路１３に水平方向に繋がったバイパス管路１８を有している。この場合、便器１１に溜まった排水は、受け部１３ｂ１においては主として排水管路１３に沿って吸引される。このため、便器１１に溜まった排水は、スムーズに吸引される。また、吸引終了後に、上り管部１３ｂに残留した排水は、受け部１３ｂ１における排水管路１３とバイパス管路１８とに流れ込む。上り管部１３ｂに残留した排水がバイパス管路１８にも流れ込むので、受け部１３ｂ１における排水管路１３をより短く構成できる。また、排水管路１３と並行に配置されたバイパス管路１８は、排水管路１３と水平方向に繋がっている。このため、バイパス管路１８に入り込んだ排水はバイパス管路１８に留まらず、適当なタイミングで、受け部１３ｂ１における排水管路１３に戻る。そして、次に吸引される際などにおいて、負圧タンク１２へ吸引される。
【００４１】
図４は、中間タンク１９を備えた受け部１３ｂ１を模式的に示す平面図である。受け部１３ｂ１は、図４に示すように、当該受け部１３ｂ１における排水管路１３の側方に配置され、当該受け部１３ｂ１における排水管路１３に対して水平方向に繋がった中間タンク１９を有していてもよい。この場合、便器１１に溜まった排水は、受け部１３ｂ１においては主として排水管路１３に沿って吸引される。このため、便器１１に溜まった排水は、スムーズに吸引される。吸引終了後に、上り管部１３ｂに残留した排水は、流下して、受け部１３ｂ１における排水管路１３と中間タンク１９とに流れ込む。上り管部１３ｂに残留した排水が中間タンク１９にも流れ込むので、受け部１３ｂ１における排水管路１３を短く構成できる。また、中間タンク１９に入り込んだ排水は、中間タンク１９に留まらず、適当なタイミングで、受け部１３ｂ１における排水管路１３に戻る。そして、次に吸引される際などにおいて、負圧タンク１２へ吸引される。
【００４２】
なお、バイパス管路１８や中間タンク１９には、受け部１３ｂ１の一部として、吸引終了後に、上り管部１３ｂに残留した排水が流れ込むとよい。このようなバイパス管路１８や中間タンク１９が、受け部１３ｂ１に設けられていることによって、受け部１３ｂ１における排水管路１３が短くできる。この観点において、バイパス管路１８や中間タンク１９は、必ずしも受け部１３ｂ１における排水管路１３の側方に配置されていなくてもよい。しかし、バイパス管路１８や中間タンク１９に入り込んだ排水が、適当なタイミングで排水管路１３に戻るとの観点において、バイパス管路１８や中間タンク１９は、受け部１３ｂ１における排水管路１３の側方に配置され、かつ、排水管路１３に対して水平に繋がっている方がよい。なお、上記作用効果が阻害されない限りにおいて、バイパス管路１８や中間タンク１９は、上記形態に限定されない。
【００４３】
排水管路１３は、図１および図２に示すように、上り管部１３ｂ，１３ｃを複数備えている場合には、各上り管部１３ｂ，１３ｃに対してそれぞれ受け部１３ｂ１，１３ｃ１が設けられているとよい。各受け部１３ｂ１，１３ｃ１は、それぞれの下流側に設けられた上り管部１３ｂ，１３ｃの容積に応じて、上り管部１３ｂ，１３ｃよりも大きい容積を有しているとよい。
【００４４】
以上、本発明の一実施形態に係る負圧吸引式トイレを説明したが、本発明は特に言及されない限りにおいて上述した実施形態および変形例に限定されず、さらに種々の変形例が含まれる。
【００４５】
例えば、図３または図４に示すように、受け部１３ｂ１，１３ｃ１における排水管路１３に、並行なバイパス管路１８や中間タンク１９を設ける場合がある。このような場合には、排水管路１３とバイパス管路１８とを繋ぐ管路や、排水管路１３と中間タンク１９とを繋ぐ管路に弁（図示省略）を設けてもよい。例えば、便器１１に溜まった排水が負圧タンク１２に吸引される際に、当該弁が閉じられることによって、バイパス管路１８や中間タンク１９の影響を受けずに、排水が排水管路１３に沿ってスムーズに流れる。そして、吸引終了後に弁を開けると、上り管部１３ｂ，１３ｃから受け部１３ｂ１，１３ｃ１に流下した排水が、排水管路１３に並行なバイパス管路１８や中間タンク１９に流れ込む。このように、バイパス管路１８や中間タンク１９に設けられる弁は、負圧タンク１２に排水が吸引される一連工程において、適当なタイミングで開いたり、閉じたりするとよい。このため、バイパス管路１８や中間タンク１９に設けられる弁は、制御装置３０によって制御されるとよい。
【産業上の利用可能性】
【００４６】
本発明は、負圧吸引式トイレとして産業上利用可能である。
【符号の説明】
【００４７】
１０  負圧吸引式トイレ
１１  便器
１１ａ  排水口
１１ｂ  便器本体
１１ｃ  外枠
１２  負圧タンク
１２ａ  吸引口
１２ｂ  弁
１２ｃ  大気開放弁
１２ｄ  弁
１３  排水管路
１３ａ  立ち上がり部
１３ｂ，１３ｃ  上り管部
１３ｂ１，１３ｃ１  受け部
１４  真空ポンプ
１４ａ  弁
１６  カバー
１８  バイパス管路
１９  中間タンク
２０  ベッド
２１  給水タンク
２２  給水ポンプ
３０  制御装置
３１  操作部
４０  下水設備
６０  貫通孔
ＦＬ  床面
ＧＬ  地面
ＷＬ  壁面
【図１】
0006626401.tif 000002
【図２】
0006626401.tif 000003
【図３】
0006626401.tif 000004
【図４】
0006626401.tif 000005